【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
医学データを管理するための医学データ管理システムが、
医学データを受け取るように構成された入力部、
医学データを格納するように構成された不揮発性のメモリ、
ユーザが選択を行うために用いるユーザインターフェース、格納された医学データ及びレポートを印刷するためにリモートデバイスに送信するように構成された出力部、及び、前記入力部から医学データを受け取り、前記受け取られた医学データを前記メモリに格納するようにプログラムされたプロセッサとを備えた携帯型データ管理デバイスを有し、
前記医学データ管理システムが、
前記入力部が、前記携帯型データ管理デバイスに関連づけられた生物学的パラメータセンサから医学データを受け取るものであり、
前記生物学的パラメータセンサが、前記携帯型データ管理デバイスに組み込まれた態様、及び、前記携帯型データ管理デバイスから分離して前記生物学的パラメータセンサを前記携帯型データ管理デバイスに接続した態様、のうちの少なくとも一方の態様であり、
前記不揮発性のメモリが、医学データレポートのそれぞれに対応する既定のレポートフォーマットが定められた複数の選択可能な既定の医学データレポートを有するとともに、該メモリが、複数の選択可能なプリンタドライバをさらに有し、
前記プロセッサが、前記ユーザインターフェースから前記既定の医学データレポートの選択を受け取り、前記選択された医学データレポートに該当する医学データを前記メモリから取り出し、仕上げられた医学レポートを得るために前記取り出された医学データを編集して前記対応する既定のレポートフォーマットに変換して、前記ユーザインターフェースからプリンタドライバの選択を受け取り、前記メモリから前記選択されたプリンタドライバを取り出して、前記仕上げられたレポート及び前記取り出されたプリンタドライバのいずれをも前記出力部に出力するようにさらにプログラムされたものであることを特徴とする医学データ管理システム。
【請求項２】
前記メモリが、プリンタ名と対応するプリンタドライバとを相互に関係付けるテーブルをさらに有し、
前記ユーザインターフェースが、選択され得るプリンタのリストを有し、
前記プロセッサが、前記ユーザインターフェースからプリンタ名の選択を受け取り、前記メモリ内の前記プリンタ名テーブルにアクセスし、前記選択された名前のプリンタに対応する前記プリンタドライバを取り出して、前記仕上げられた医学レポート及び前記取り出されたプリンタドライバのいずれをも前記出力部に出力するようにさらにプログラムされたことを特徴とする請求項１に記載の医学データ管理システム。
【請求項３】
前記携帯型デバイスの前記出力部が、他のデバイスと無線で通信するように構成された無線通信出力部を備え、
前記プロセッサが前記仕上げられた医学レポートを前記無線通信出力部に出力することを特徴とする請求項１に記載の医学データ管理システム。
【請求項４】
前記無線通信出力部が、前記仕上げられた医学レポートを印刷のために他のデバイスに、赤外線、ブルートゥース、ＷｉＦｉ及び携帯移動電話のうちの少なくとも１つの方式で送信するように構成されることを特徴とする請求項３に記載の医学データ管理システム。
【請求項５】
前記メモリが、複数の選択可能なプリンタドライバをさらに有し、
前記プロセッサが、前記ユーザインターフェースからプリンタドライバの選択を受け取り、前記メモリから前記選択されたプリンタドライバを取り出し、前記仕上げられた医学レポート及び前記選択されたプリンタドライバを前記無線通信出力部に提供するようにさらにプログラムされることを特徴とする請求項３に記載の医学データ管理システム。
【請求項６】
前記携帯型データ管理デバイスが、医学データ及び仕上げられた医学レポート及びプリンタドライバを格納するように構成された、可搬型の着脱可能な読出／書込可能な不揮発性メモリデバイスをさらに備え、
前記プロセッサが、前記読出／書込可能な不揮発性メモリデバイスに前記仕上げられた医学レポート及び取り出された前記プリンタドライバのうちの少なくとも１つを書き込むようにさらにプログラムされ、
前記可搬型の着脱可能なメモリデバイスが、前記携帯型データ管理デバイスから取り外されて、前記選択された医学データレポートを印刷するために別のデバイスによって用いられ得ることを特徴とする請求項１に記載の医学データ管理システム。
【請求項７】
前記携帯型データ管理デバイスを受入れるとともに、動作可能な態様で前記携帯型管理デバイスに接続するように構成されたドッキングステーションをさらに備え、
前記ドッキングステーションが、
前記携帯型管理デバイスから医学データを受け取るように構成されたドッキングステーション入力部、
医学データレポートのそれぞれに対応する既定のレポートフォーマットが定められた複数の選択可能な既定の医学データレポートおよび複数の選択可能なプリンタドライバを有するドッキングステーションメモリ、
格納された医学データ及び医学データレポートを送信するように構成されたドッキングステーション出力部、
ユーザが選択を行うために用いるドッキングステーションユーザインターフェース、及び
前記入力部で前記携帯型データ管理デバイスから医学データを受け取り、前記受け取られた医学データを前記ドッキングステーションメモリに格納するようにプログラムされたドッキングステーションプロセッサであって、
前記ドッキングステーションユーザインターフェースから既定の医学データレポートの選択を受け取り、前記選択された医学データレポートに該当する医学データを前記ドッキングステーションメモリから取り出して、仕上げられた医学レポートを得るために前記取り出された医学データを編集して前記対応する既定のレポートフォーマットに変換し、前記ドッキングステーションユーザインターフェースからプリンタドライバの選択を受け取り、前記選択されたプリンタドライバを前記ドッキングステーションメモリから取り出して、前記仕上げられた医学レポートおよび前記取り出されたプリンタドライバを前記ドッキングステーション出力部に出力するようにプログラムされたドッキングステーションプロセッサ、
を備えることを特徴とする請求項１に記載の医学データ管理システム。
【請求項８】
前記ドッキングステーションメモリが、プリンタ名を対応するプリンタドライバと相互に関係付けるテーブルをさらに有し、
前記ドッキングステーションユーザインターフェースが選択され得るプリンタのリストを含み、
前記ドッキングステーションプロセッサが、前記ドッキングステーションユーザインターフェースからプリンタ名の選択を受け取り、前記メモリ内の前記プリンタ名テーブルにアクセスし、前記選択された名前のプリンタに対応する前記プリンタドライバを取り出し、前記仕上げられた医学レポート及び前記取り出されたプリンタドライバのいずれをも前記ドッキングステーション出力部に提供するようにさらにプログラムされることを特徴とする請求項７に記載の医学データ管理システム。
【請求項９】
前記ドッキングステーション出力部が、他のデバイスと無線で通信するように構成されたドッキングステーション無線通信出力部を備え、
前記ドッキングステーションプロセッサが、前記仕上げられた医学レポートを前記ドッキングステーション無線通信出力部に出力することを特徴とする請求項７に記載の医学データ管理システム。
【請求項１０】
前記ドッキングステーション無線通信出力部が、前記仕上げられた医学レポートを印刷のために他のデバイスに、赤外線、ブルートゥース、ＷｉＦｉ及び携帯移動電話のうちの少なくとも１つの方式で送信するように構成されることを特徴とする請求項９に記載の医学データ管理システム。
【請求項１１】
前記ドッキングステーションが、医学データ及び仕上げられた医学レポート及びプリンタドライバを格納するように構成された可搬型の着脱可能な読出／書込可能な不揮発性メモリデバイスをさらに備え、
前記ドッキングステーションプロセッサが、前記読出／書込可能な不揮発性メモリデバイスに前記仕上げられた医学レポート及び前記取り出された前記プリンタドライバを書き込むようにさらにプログラムされ、
前記可搬型の着脱可能なメモリデバイスが、前記ドッキングステーションから取り外されて、前記選択された医学データレポートを印刷するために別のデバイスによって用いられ得ることを特徴とする請求項９に記載の医学データ管理システム。